(57)【要約】【課題】入力画像を表示する既存システムに対して、設置場所にとらわれず、更に配線の変更・追加を生じることなく、画像合成機能の拡張導入を可能にすること。【解決手段】表示装置１０は、ビデオカメラ２０により撮影された第１の画像データを受信し、受信した前記第１の画像データに含まれる人物画像データと、背景画像としての第２の画像データとを合成し、合成画像データを生成し、前記合成画像データを生成しつつ、表示部に当該合成画像データを表示する。【選択図】図２
2008090370.tif 000002
【特許請求の範囲】
【請求項１】
ユーザからの要求を受け付け、入力画像を表示する表示装置であって、
ビデオカメラにより撮影された第１の画像データを受信する手段と、
受信した前記第１の画像データに含まれる人物画像データと、背景画像としての第２の画像データとを合成し、合成画像データを生成する手段と、
前記合成画像データを生成しつつ、表示部に当該合成画像データを表示する手段と、を備える表示装置。
【請求項２】
前記第２の画像データの候補として、少なくとも１の内部画像データを予め記憶する手段と、
前記内部画像データの中から１を選択し、前記第２の画像データとして再生する手段と、を更に備える請求項１に記載の表示装置。
【請求項３】
前記第２の画像データとして、外部機器から外部画像データを受信し再生する手段を更に備える請求項１に記載の表示装置。
【請求項４】
前記第２の画像データの候補として、少なくとも１の内部画像データを予め記憶する手段と、
前記第２の画像データの候補として、外部機器から外部画像データを受信する手段と、
前記内部画像データおよび前記外部画像データの中から１を選択し、前記第２の画像データとして再生する手段と、を更に備える請求項１に記載の表示装置。
【請求項５】
前記内部画像データおよび前記外部画像データの中から１を選択する入力を前記ユーザから受け付ける手段を更に備える請求項４に記載の表示装置。
【請求項６】
前記外部機器とは、通信ネットワークを介して接続され、
前記外部画像データを要求する要求信号を前記外部機器に送信する手段と、
前記要求信号に応じて送信された前記外部画像データを、前記外部機器から受信する手段と、を更に備える請求項３から請求項４のいずれかに記載の表示装置。
【請求項７】
第３の画像データを別の外部機器から受信する手段と、
前記合成画像データと前記第３の画像データのどちらか一方の選択を示す入力を前記ユーザから受け付ける手段と、
前記選択を示す入力に応じて、前記合成画像データと前記第３の画像データとを切り替えて表示する手段と、を更に備える請求項１から請求項６のいずれかに記載の表示装置。
【請求項８】
第３の画像データを別の外部機器から受信する手段と、
前記合成画像データと前記第３の画像データの双方を、画面分割により表示する手段と、
前記画面分割の態様を示す入力を前記ユーザから受け付ける手段と、を更に備える請求項１から請求項６のいずれかに記載の表示装置。
【請求項９】
第３の画像データを別の外部機器から受信する手段と、
前記第３の画像データを前景画像として、更に前記合成画像データに合成する手段と、を更に備える請求項１から請求項６のいずれかに記載の表示装置。
【請求項１０】
テレビ放送を受信し、複数のチャンネルに信号変換する手段と、
前記ユーザから前記チャンネルの選択入力を受け付けたことに応じて、選択をされた前記チャンネルの映像データを表示する手段と、を備え、
前記テレビ放送に含まれない所定のチャンネルの選択入力を受け付けた場合には、前記合成画像データを表示することを特徴とする請求項１から請求項９のいずれかに記載の表示装置。
【発明の詳細な説明】
【技術分野】
【０００１】
本発明は、入力画像を合成して表示する表示装置に関する。
【背景技術】
【０００２】
従来のカラオケシステムにおいて、モニタの役割は、音楽に合わせて予め決められた画像を表示することであった。その場合、ユーザ（歌手）は、モニタを見ながら歌い、カラオケシステムは、この音声を伴奏音と合成してスピーカから流す。このような一般的なカラオケシステムの興趣を向上させる方法として、ユーザの画像を所定の背景画像に合成してモニタに表示させる方法が提案されている。
【０００３】
例えば、特許文献１には、スーパーインポーザーを備えることにより、歌手を撮影したカメラ画像と背景画像とを合成して、モニタに表示させるシステムが開示されている。
【特許文献１】特開２００３−１８６４８４号公報
【発明の開示】
【発明が解決しようとする課題】
【０００４】
しかしながら、特許文献１等、従来の方法では、画像合成用の装置を既存のシステムに追加導入するため、各種配線の付け替えや追加の作業が発生する。従って、機器の配線に関する知識が必要とされるので、導入が容易に行えない場合も考えられる。更に、画像合成用の装置を新たに設置するため、設置場所の確保も必要となり、これが導入の障害となることも考えられる。
【０００５】
そこで本発明は、入力画像を表示する既存システムに対して、設置場所にとらわれず、更に配線の変更・追加を生じることなく、画像合成機能の拡張導入を可能にすることを目的とする。
【課題を解決するための手段】
【０００６】
上記目的のため、具体的には、以下のようなものを提供する。
【０００７】
（１）  ユーザからの要求を受け付け、入力画像を表示する表示装置であって、
ビデオカメラにより撮影された第１の画像データを受信する手段と、
受信した前記第１の画像データに含まれる人物画像データと、背景画像としての第２の画像データとを合成し、合成画像データを生成する手段と、
前記合成画像データを生成しつつ、表示部に当該合成画像データを表示する手段と、を備える表示装置。
【０００８】
このような構成によれば、当該表示装置は、ビデオカメラにより撮影された第１の画像データを受信し、受信した前記第１の画像データに含まれる人物画像データと、背景画像としての第２の画像データとを合成し、合成画像データを生成し、前記合成画像データを生成しつつ、表示部に当該合成画像データを表示する。
【０００９】
このことにより、当該表示装置は、画像を合成する機能と表示する機能とを併せ持つので、既存のモニタ（例えば、カラオケのモニタ等）から置き換わることで、入力画像データ（第２の画像データ、例えばカラオケ画像データ等）に、ビデオカメラにより撮影された第１の画像データを合成して表示することができる。
【００１０】
すなわち、第１の画像データがなければ、第２の画像データを表示する既存のモニタと同等の装置であるため、当該表示装置の設置に際して新たな配線が必要になることはない。更に、画像合成機能が当該表示装置に一体化されていることにより、新たな設置場所を要しないため、既存システムからの移行が容易である。
【００１１】
（２）  前記第２の画像データの候補として、少なくとも１の内部画像データを予め記憶する手段と、
前記内部画像データの中から１を選択し、前記第２の画像データとして再生する手段と、を更に備える請求項１に記載の表示装置。
【００１２】
このような構成によれば、当該表示装置は、前記第２の画像データの候補として、少なくとも１の内部画像データを予め記憶し、前記内部画像データの中から１を選択し、前記第２の画像データとして再生する。
【００１３】
このことにより、当該表示装置は、画像合成の背景画像データ（第２の画像データ）を予め記憶しているので、背景画像データが外部から入力されなくても、単独で第１の画像データ（カメラ画像データ）に別の背景画像を合成して表示することができる。
【００１４】
なお、前記内部画像データの中から１を選択する方法は、ランダムであってもよいし、ユーザからの入力に基づいて選択することとしてもよい。
【００１５】
（３）  前記第２の画像データとして、外部機器から外部画像データを受信し再生する手段を更に備える請求項１に記載の表示装置。
【００１６】
このような構成によれば、当該表示装置は、背景画像を外部機器（例えば、カラオケ装置やビデオプレーヤ等）から受信し、第１の画像データ（カメラ画像データ）と合成して表示することができる。よって、外部機器から受け付けた背景画像を表示するだけにとどまらず、容易にカメラ画像を合成して表示することができる。
【００１７】
（４）  前記第２の画像データの候補として、少なくとも１の内部画像データを予め記憶する手段と、
前記第２の画像データの候補として、外部機器から外部画像データを受信する手段と、
前記内部画像データおよび前記外部画像データの中から１を選択し、前記第２の画像データとして再生する手段と、を更に備える請求項１に記載の表示装置。
【００１８】
このような構成によれば、当該表示装置は、前記第２の画像データの候補として、少なくとも１の内部画像データを予め記憶し、また、前記第２の画像データの候補として、外部機器から外部画像データを受信し、前記内部画像データおよび前記外部画像データの中から１を選択し、前記第２の画像データとして再生する。
【００１９】
このことにより、当該表示装置は、背景画像の候補として、内部画像データおよび外部画像データを使用することができる。その結果、背景として合成する画像の選択肢が増える。更に、外部画像データが通信の障害により利用できない場合であっても、内部画像データを代替データとして利用できるため、画像合成の処理を引き続き行うことができる。
【００２０】
（５）  前記内部画像データおよび前記外部画像データの中から１を選択する入力を前記ユーザから受け付ける手段を更に備える請求項４に記載の表示装置。
【００２１】
このような構成によれば、当該表示装置は、背景画像を選択する入力を前記ユーザから受け付けるので、ユーザの好みに応じた背景画像を合成することができ、新たな楽しみが生まれる。
【００２２】
（６）  前記外部機器とは、通信ネットワークを介して接続され、
前記外部画像データを要求する要求信号を前記外部機器に送信する手段と、
前記要求信号に応じて送信された前記外部画像データを、前記外部機器から受信する手段と、を更に備える請求項３から請求項４のいずれかに記載の表示装置。
【００２３】
このような構成によれば、当該表示装置は、前記外部機器とは、通信ネットワークを介して接続され、前記外部画像データを要求する要求信号を前記外部機器に送信し、前記要求信号に応じて送信された前記外部画像データを、前記外部機器から受信する。
【００２４】
このことにより、当該表示装置は、通常のビデオ信号入力に限らず、通信ネットワークを介して画像の電子データを受信することができる。よって、サーバ装置等に蓄積したデータを適時読み出して、背景画像として利用することができる。
【００２５】
（７）  第３の画像データを別の外部機器から受信する手段と、
前記合成画像データと前記第３の画像データのどちらか一方の選択を示す入力を前記ユーザから受け付ける手段と、
前記選択を示す入力に応じて、前記合成画像データと前記第３の画像データとを切り替えて表示する手段と、を更に備える請求項１から請求項６のいずれかに記載の表示装置。
【００２６】
このような構成によれば、当該表示装置は、第３の画像データを別の外部機器から受信し、前記合成画像データと前記第３の画像データのどちらか一方の選択を示す入力を前記ユーザから受け付け、前記選択を示す入力に応じて、前記合成画像データと前記第３の画像データとを切り替えて表示する。
【００２７】
このことにより、当該表示装置は、合成画像とは別の画像を選択的に切り替えて表示することができる。よって、ユーザは必要に応じて表示する画像を切り替え、例えば一時的に歌詞の表示にしたり、テレビニュース等の別画像を表示したりすることができる。
【００２８】
（８）  第３の画像データを別の外部機器から受信する手段と、
前記合成画像データと前記第３の画像データの双方を、画面分割により表示する手段と、
前記画面分割の態様を示す入力を前記ユーザから受け付ける手段と、を更に備える請求項１から請求項６のいずれかに記載の表示装置。
【００２９】
このような構成によれば、当該表示装置は、第３の画像データを別の外部機器から受信し、前記合成画像データと前記第３の画像データの双方を、画面分割により表示し、前記画面分割の態様を示す入力は前記ユーザから受け付ける。
【００３０】
このことにより、当該表示装置は、合成画像と共に第３の画像を同時に表示することができる。よって、ユーザは第３の画像を確認しつつ、合成画像を楽しむことができる。
【００３１】
（９）  第３の画像データを別の外部機器から受信する手段と、
前記第３の画像データを前景画像として、更に前記合成画像データに合成する手段と、を更に備える請求項１から請求項６のいずれかに記載の表示装置。
【００３２】
このような構成によれば、当該表示装置は、第３の画像データを別の外部機器から受信し、前記第３の画像データを前景画像として、更に前記合成画像データに合成する。
【００３３】
このことにより、当該表示装置は、カメラ画像と背景画像を合成した合成画像に、第３の画像を更に合成して表示することができる。よって、例えば合成画像に対してテロップの表示や装飾等を適宜行うことができる。
【００３４】
（１０）  テレビ放送を受信し、複数のチャンネルに信号変換する手段と、
前記ユーザから前記チャンネルの選択入力を受け付けたことに応じて、選択をされた前記チャンネルの映像データを表示する手段と、を備え、
前記テレビ放送に含まれない所定のチャンネルの選択入力を受け付けた場合には、前記合成画像データを表示することを特徴とする請求項１から請求項９のいずれかに記載の表示装置。
【００３５】
このような構成によれば、当該表示装置は、テレビ放送を受信し、複数のチャンネルに信号変換し、前記ユーザから前記チャンネルの選択入力を受け付けたことに応じて、選択をされた前記チャンネルの映像データを表示し、前記テレビ放送に含まれない所定のチャンネルの選択入力を受け付けた場合には、前記合成画像データを表示する。
【００３６】
このことにより、当該表示装置は、テレビ放送のモニタとしても機能するため、ユーザにとって用途が増え、利用の機会が増加する可能性がある。
【発明の効果】
【００３７】
本発明によれば、入力画像を表示する既存システムに対して、設置場所にとらわれず、更に配線の変更・追加を生じることなく、画像合成機能の拡張導入が可能となる。
【発明を実施するための最良の形態】
【００３８】
本発明に係る好適な実施形態の一例について、図面に基づいて以下に説明する。
【００３９】
［システム概要］
図１は、本発明の好適な実施形態の一例に係るシステムの概要を示す図である。
【００４０】
表示装置１０は、カラオケ装置等の外部画像再生機３０の映像信号を入力するビデオ入力端子１２、およびビデオカメラ２０の映像入力端子１１を備えている。ビデオ入力端子１２は既存のモニタと同様であって、既存のモニタから表示装置１０へコードを繋ぎかえることによって、本実施形態のシステム導入を行うことができる。
【００４１】
なお、図中ではビデオ入力端子１２を２系統としているが、構成はこれには限られず、カメラ画像との合成のため、少なくとも１の入力系統を備える。更に多数の入力系統を備えることによって、画像切り替え、あるいは画像合成のバリエーションを増やすこともできる。
【００４２】
表示装置１０は、ビデオカメラ２０により撮影された画像に含まれる人物等の画像データと、外部画像再生機３０において再生される背景画像データとを合成して表示する。背景画像は、ビデオ入力端子１２に接続された外部画像再生機３０から受信してもよいし、ネットワーク接続端子１３を介して、別の情報処理端末より受信してもよい。
【００４３】
［装置構成］
図２は、本発明の好適な実施形態の一例に係る表示装置１０を含めたシステム１の構成を示す図である。
【００４４】
表示装置１０は、ビデオカメラ２０と、外部画像再生機３０と、付加画像再生機５０と、更に、通信ネットワークを介して画像サーバ４０と接続されている。
【００４５】
カメラ画像受信部１５０は、ビデオカメラ２０から、撮影された人物を含むカメラ画像データを受信し、制御部１１０に渡す。外部画像受信部１６０は、外部画像再生機３０から、背景画像となる外部画像データを受信し、制御部１１０に渡す。通信Ｉ／Ｆ部１７０は、画像サーバ４０に記憶されている背景画像データを、通信ネットワークを介して適宜受信し、制御部１１０に渡す。付加画像受信部１８０は、付加画像再生機５０から、合成画像とは別に切り替えて表示させる付加画像データを受信し、制御部１１０に渡す。
【００４６】
制御部１１０は、これらの各種画像データに基づいて、記憶部１２０、表示部１３０、入力部１４０と共に、後述する処理（図３）を行う。
【００４７】
制御部１１０は、情報の演算、処理を行う情報演算処理装置（ＣＰＵ）であり、表示装置１０全体の制御を行う。制御部１１０は、記憶部１２０に記憶された各種プログラムを適宜読み出して実行することにより、上述のハードウェアと協働し、受信した各種画像データに基づいて、本発明に係る機能を実現している。
【００４８】
記憶部１２０は、制御部１１０と組み合わせてプログラムの実行に使用するローカルメモリ、大容量のバルクメモリ、および当該バルクメモリの検索を効率的に行うために使用するキャッシュメモリを含んでよい。記憶部１２０を実現するコンピュータ可読媒体としては、電気的、磁気的、光学的、電磁的に実現するものを含んでよい。
【００４９】
表示部１３０は、制御部１１０による処理結果である画像や、ユーザによる各種入力操作情報等を表示するものである。例えば、ブラウン管表示装置（ＣＲＴ）や液晶表示装置（ＬＣＤ）等のディスプレイ装置を含む。表示部１３０は、直接または介在Ｉ／Ｏコントローラを介して表示装置１０と接続することができる。
【００５０】
入力部１４０は、ユーザによる操作入力の受け付けを行うものであり、各種操作ボタンを備えるコントロールパネルを含む。入力部１４０は、直接または介在Ｉ／Ｏコントローラを介して表示装置１０と接続することができる。また、入力部１４０は、赤外線通信等の受信部であってもよく、この場合には、ユーザが操作するリモートコントローラからの操作入力信号を受信することにより、制御部１１０に制御信号を送信する。
【００５１】
通信Ｉ／Ｆ部１７０は、表示装置１０を専用ネットワークまたは公共ネットワークを介して別の演算処理システムまたは記憶装置と接続できるようにするためのネットワーク・アダプタである。通信Ｉ／Ｆ部１７０は、前述の通り、通信ネットワークを介して画像サーバ４０から背景画像データを受信する。
【００５２】
合成部１１１は、外部画像受信部１６０から受け取る外部画像データ、あるいは通信Ｉ／Ｆ部１７０から受け取る背景画像データに、カメラ画像受信部１５０から受け取るカメラ画像データに含まれる人物画像データを合成し、合成画像データを生成する。
【００５３】
ここで、カメラ画像データから人物画像データを抽出する方法、および画像を合成する方法は、公知の技術を用いることができるが、即時に行い表示可能な方法であることが望ましい。このことにより、表示部１３０に表示される合成画像は、ビデオカメラ２０にて撮影するカメラ画像と時間遅れを感じることなく合成画像を楽しむことができる。
【００５４】
切り替え制御部１１２は、合成部１１１にて生成した合成画像データと、付加画像受信部より受け取る付加画像データとを、入力部１４０を介してユーザから入力される操作データに応じて、表示部１３０に表示する画像を決定し、切り替え制御する。なお、付加画像データについても、合成部１１１において合成処理を行い、合成画像として表示することとしてもよい。
【００５５】
［処理フロー］
図３は、本発明の好適な実施形態の一例に係る処理の流れを示す図である。
【００５６】
ステップＳ１０５では、表示装置１０は、通信ネットワークに接続され画像サーバ４０が認識される場合に、外部画像を通信で取得するか否かを判別する。具体的には、例えば、ユーザからの入力を受け付けることにより、画像サーバ４０から通信により取得するか、外部画像再生機３０からビデオ信号として取得するかを選択する。あるいは、外部画像再生機３０からの入力がない場合に通信により取得すると判別してもよい。通信で取得する場合には、表示装置１０は、ステップＳ１１０に処理を移し、そうでない場合にはステップＳ１３０に処理を移す。
【００５７】
ステップＳ１１０では、表示装置１０は、画像サーバ４０から外部画像の選択肢データを受信する。画像サーバ４０は、背景画像としての画像データを複数記憶しており、その内のどの画像データを送信するかについての選択肢データを、表示装置１０からの要求に応じて送信する（ステップＳ２０５）。
【００５８】
ステップＳ１１５では、表示装置１０は、ステップＳ１１０にて受信した選択肢データから、外部画像の選択入力があったか否かを判別し、選択入力があった場合にはステップＳ１２０に処理を移す。そして、例えば、所定時間内に選択入力がない場合、あるいは受信しない旨の入力があった場合等には、画像サーバ４０からの受信は行わないと判断し、ステップＳ１３０に処理を移す。
【００５９】
ステップＳ１２０では、表示装置１０は、画像サーバ４０に対して、選択された画像データの送信要求を行う。画像サーバ４０は、送信要求データを受信した（ステップＳ２１０）ことに応じて、選択された外部画像データを表示装置１０に送信する（ステップＳ２１５）。
【００６０】
ステップＳ１２５では、表示装置１０は、画像サーバ４０から背景画像となる外部画像データを受信する。
【００６１】
ステップＳ１３０では、表示装置１０は、背景画像となる外部画像データがあるか否かを判別する。具体的には、ステップＳ１２５にて外部画像データを受信している場合には、外部画像があると判別してステップＳ１４０に処理を移す。また、外部画像再生機３０からビデオ信号を受信している場合にも、外部画像があると判別できる。そして、外部画像がない場合には、表示装置１０は、ステップＳ１３５に処理を移す。
【００６２】
ステップＳ１３５では、表示装置１０は、背景画像として、記憶部１２０に記憶する内部画像データを選択する。その際、内部画像データの選択に関してユーザからの入力を受け付けてもよいし、自動で選択することとしてもよい。自動で選択する場合には、ランダムで選択してもよいし、例えば、カメラ画像から抽出する色データと類似する内部画像データを選択する等、様々な方法で実現することができる。
【００６３】
ステップＳ１４０では、表示装置１０は、カメラ画像の入力があるか否かを判別する。ビデオカメラ２０からのカメラ画像の入力がある場合には、ステップＳ１４５に処理を移し、カメラ画像の入力がない場合には、ステップＳ１５０に処理を移す。
【００６４】
ステップＳ１４５では、表示装置１０は、受信したカメラ画像に含まれる人物画像データと、背景画像データ（外部画像データまたは内部画像データ）とを画像合成し、合成画像データを生成する。
【００６５】
ステップＳ１５０では、表示装置１０は、付加画像再生機５０から、付加画像データのビデオ信号入力があるか否かを判別する。表示装置１０は、付加画像データの入力がある場合にはステップＳ１６０に処理を移し、入力がない場合にはステップＳ１５５に処理を移す。
【００６６】
ステップＳ１５５では、付加画像データの入力がないと判別されているので、表示装置１０は、合成画像の表示を行う。ここで表示する対象は、ステップＳ１４５にて生成された合成画像データ、あるいは、カメラ画像がない場合には、合成前の背景画像データ（外部画像データまたは内部画像データ）となる。
【００６７】
ステップＳ１６０では、表示装置１０は、合成画像データと付加画像データとを表示させる態様の選択を受け付ける。具体的には、例えば、入力部１４０を介してユーザからの入力を受け付けることとしてよい。なお、受け付けるタイミングは任意であってもよく、初期値を予め設定しておくこととしてよい。
【００６８】
ここで、選択を受け付ける態様としては、少なくとも、「切り替え」、「分割」、「合成」がある。
【００６９】
「切り替え」が選択された場合には、表示装置１０は、合成画像データと付加画像データの表示を切り替え、どちらか一方のみを表示する（ステップＳ１６５）。
【００７０】
「分割」が選択された場合には、表示装置１０は、表示部１３０を画面分割し、合成画像データと付加画像データの双方を表示する（ステップＳ１７０）。図４は「分割」を選択された場合の画面表示の一例である。この例では、合成画像を表示する画面の中に、付加画像を表示する領域を設けて同時に表示している。この他、並べて表示する等、双方を視認できる方法であればその態様は限定しない。
【００７１】
「合成」が選択された場合には、表示装置１０は、合成画像データに付加画像データの全部もしくは一部分を更に合成して表示する（ステップＳ１７５）。図５は「合成」を選択された場合の画面表示の一例である。この例では、付加画像データに含まれる文字データのみを抽出して、合成画像データに更に合成して表示している。この他、例えば、付加画像データの所定の領域のみを合成したり、所定の色を除いた領域のみを合成したりしてもよく、合成位置、サイズ等、方法は限定しない。
【００７２】
ステップＳ１８０では、表示装置１０は、処理を終了するか否かの判別をする。具体的には、ユーザから終了を示す入力を受け付けたことに応じて終了と判別することとしてよい。または、外部画像データが受信されなくなったことに応じて終了する等、所定の規則に従って自動判別をすることもできる。
【００７３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００７４】
【図１】本発明の好適な実施形態の一例に係るシステムの概要を示す図である。
【図２】本発明の好適な実施形態の一例に係る表示装置を含めたシステムの構成を示す図である。
【図３】本発明の好適な実施形態の一例に係る処理の流れを示す図である。
【図４】本発明の好適な実施形態の一例に係る画面表示の一例を示す図である。
【図５】本発明の好適な実施形態の一例に係る画面表示の一例を示す図である。
【符号の説明】
【００７５】
１０    表示装置
１１    映像入力端子
１２    ビデオ入力端子
１３    ネットワーク接続端子
２０    ビデオカメラ
３０    外部画像再生機
４０    画像サーバ
５０    付加画像再生機
１１０  制御部
１１１  合成部
１１２  切り替え制御部
１２０  記憶部
１３０  表示部
１４０  入力部
１５０  カメラ画像受信部
１６０  外部画像受信部
１７０  通信Ｉ／Ｆ部
１８０  付加画像受信部
【図１】
2008090370.tif 000003
【図２】
2008090370.tif 000004
【図３】
2008090370.tif 000005
【図４】
2008090370.tif 000006
【図５】
2008090370.tif 000007